(57)【要約】【課題】  遊技盤を本体枠に取り付けたままガイドレール枠のみを交換する。【解決手段】  遊技盤ユニット１６は、遊技盤４、支持体１８及びガイドレール枠１９を備える。支持体１８の四隅にはガイドレール枠係止部材２２が設けられている。ガイドレール枠係止部材２２は、軸部２３と、軸部２３の先端部に回動自在に設けられた係止つまみ２４とを備える。ガイドレール枠１９は、枠本体２５に、外レール２６、第１内レール２７、第２内レール２８が取り付けられた構成となっている。枠本体２５の四隅には、つまみ係止孔２５ｃが形成されている。ガイドレール枠係止部材２２を、遊技盤４の挿通孔４ｃ、ガイドレール枠１９のつまみ係止孔２５ｃの順に挿通し、係止つまみ２４をつまみ係止孔２５ｃに対して係止解除位置から係止位置へと回動させると、遊技盤４を挟持した状態で支持体１８とガイドレール枠１９とが係止される。【選択図】        図４
2005349032.tif 000002
【特許請求の範囲】
【請求項１】
遊技盤と、前記遊技盤が取り付けられる取付枠と、前記遊技盤の前面側に設けられ、遊技領域を規定する遊技領域規定枠とを備えた弾球遊技機において、
前記遊技領域規定枠は、前記遊技盤を前記取付枠に取り付けた状態で、前記遊技盤の前面側から着脱自在に設けられていることを特徴とする弾球遊技機。
【請求項２】
前記遊技盤の後面には遊技を行う際の駆動を制御する制御装置を支持する支持部材が取り付けられ、
前記遊技盤には第１貫通孔が、前記遊技領域規定枠には前記第１貫通孔に連通する第２貫通孔が、前記支持部材には前記第１貫通孔及び前記第２貫通孔に挿通されて前記遊技領域規定枠を前記遊技盤の前面側から係止及び係止解除可能な係止部が、それぞれ設けられていることを特徴とする請求項１記載の弾球遊技機。
【請求項３】
前記取付枠には、前記遊技盤を前記取付枠に取り付けた状態で、前記遊技領域規定枠を前記遊技盤の前面側から取り外し可能に支持する支持部が設けられていることを特徴とする請求項１記載の弾球遊技機。
【請求項４】
前記遊技領域規定枠には、予め設定された遊技状態に応じて作動する作動装置が組み込まれていることを特徴とする請求項１ないし３いずれか１つ記載の弾球遊技機。
【請求項５】
前記遊技領域規定枠を前面側に向けて付勢する付勢部を備えたことを特徴とする請求項１ないし４いずれか１つ記載の弾球遊技機。
【発明の詳細な説明】
【技術分野】
【０００１】
本発明は、パチンコ店等の遊技場に設置して使用されるパチンコ機等の弾球遊技機に関するものである。
【背景技術】
【０００２】
現在、遊技場に設置されるパチンコ機は、図柄可変表示装置や制御回路基板が組み付けられた裏セット板と称される支持体と、遊技盤と、遊技領域を規定するガイドレール枠と称される遊技領域規定枠とを備えた遊技盤ユニットを本体枠に取り付けており、ガイドレール枠と裏セット板とは、遊技盤を挟持した状態で係止されている。係止方法としては、ガイドレール枠に係止機構である回動自在な係止つまみを設け、この係止つまみを、遊技盤に形成された挿通孔、裏セット板に形成された挿通孔に挿通して、係止位置に回動することで、ガイドレール枠と裏セット板とを、遊技盤を挟持した状態で係止している。また、近年では、本体枠を複数の機種で共通部品として使用し、遊技盤ユニットを新たなものに交換することでパチンコ機の機種交換を行うことがあり、さらには、ガイドレール枠を新たなものに交換することでパチンコ機の機種交換を行うことが提案されている。
【発明の開示】
【発明が解決しようとする課題】
【０００３】
しかしながら、ガイドレール枠と裏セット板との係止を解除するには、裏セット板の裏面側からガイドレール枠に設けられた係止つまみを係止解除位置に回動する必要があるが、遊技盤ユニットを本体枠に取り付けた状態では、係止つまみを係止解除位置に回動することができないため、ガイドレール枠と裏セット板との係止を解除することができず、パチンコ機の機種交換を行うためにガイドレール枠を交換する場合には、遊技盤ユニットを本体枠から取り外した後でないと、ガイドレール枠を新たなものに交換することができないという問題があった。
【０００４】
本発明は、上記課題を解決するためになされたものであり、遊技盤を本体枠に取り付けた状態のままガイドレール枠のみを交換することができる弾球遊技機を提供することを目的とする。
【課題を解決するための手段】
【０００５】
上記目的を達成するために、本発明の弾球遊技機は、遊技盤と、前記遊技盤が取り付けられる取付枠と、前記遊技盤の前面側に設けられ、遊技領域を規定する遊技領域規定枠とを備えた弾球遊技機において、前記遊技領域規定枠は、前記遊技盤を前記取付枠に取り付けた状態で、前記遊技盤の前面側から着脱自在に設けられていることを特徴とする。
【０００６】
なお、前記遊技盤の後面には遊技を行う際の駆動を制御する制御装置を支持する支持部材が取り付けられ、
前記遊技盤には第１貫通孔が、前記遊技領域規定枠には前記第１貫通孔に連通する第２貫通孔が、前記支持部材には前記第１貫通孔及び前記第２貫通孔に挿通されて前記遊技領域規定枠を前記遊技盤の前面側から係止及び係止解除可能な係止部が、それぞれ設けられていることが好ましい。
【０００７】
また、前記取付枠には、前記遊技盤を前記取付枠に取り付けた状態で、前記遊技領域規定枠を前記遊技盤の前面側から取り外し可能に支持する支持部が設けられていることが好ましい。
【０００８】
さらに、前記遊技領域規定枠には、予め設定された遊技状態に応じて作動する作動装置が組み込まれていることが好ましい。また、前記遊技領域規定枠を前面側に向けて付勢する付勢部を備えることが好ましい。
【発明の効果】
【０００９】
本発明の弾球遊技機によれば、遊技盤と、遊技盤が取り付けられる取付枠と、遊技盤の前面側に設けられ、遊技領域を規定する遊技領域規定枠とを備え、遊技領域規定枠は、遊技盤を取付枠に取り付けた状態で、遊技盤の前面側から着脱自在に設けられているから、遊技盤を取付枠に取り付けた状態のまま、遊技盤を取付枠から取り外すことなく、遊技領域規定枠のみを取り外すことができ、遊技領域規定枠を交換することにより弾球遊技機の機種交換を行う際の交換作業を容易に行うことができる。
【００１０】
また、前記遊技盤の後面には遊技を行う際の駆動を制御する制御装置を支持する支持部材が取り付けられ、遊技盤には第１貫通孔が、遊技領域規定枠には第１貫通孔に連通する第２貫通孔が、支持部材には第１貫通孔及び第２貫通孔に挿通されて遊技領域規定枠を遊技盤の前面側から係止及び係止解除可能な係止部が、それぞれ設けられているから、遊技盤を取付枠に取り付けた状態のまま、遊技盤を取付枠から取り外すことなく、遊技盤の前面側から係止部による遊技領域規定枠の係止を解除することにより、遊技領域規定枠のみを支持部材から取り外すことができるため、遊技盤の後面に支持部材が取り付けられ、この支持部材に遊技領域規定枠が取り付けられる場合にも、遊技領域規定枠を交換することにより弾球遊技機の機種交換を行う際の交換作業を容易に行うことができる。
【００１１】
さらに、取付枠には、遊技盤を取付枠に取り付けた状態で、遊技領域規定枠を遊技盤の前面側から取り外し可能に支持する支持部が設けられているから、遊技盤を取付枠に取り付けた状態のまま、遊技盤を取付枠から取り外すことなく、支持部による遊技領域規定枠の支持を解除することにより、遊遊技領域規定枠のみを取付枠から取り外すことができるため、遊技領域規定枠が支持部により遊技盤の前面側から取付枠に取り外し可能に支持される場合にも、遊技領域規定枠を交換することにより弾球遊技機の機種交換を行う際の交換作業を容易に行うことができる。
【００１２】
また、遊技領域規定枠には、予め設定された遊技状態に応じて作動する作動装置が組み込まれているから、作動装置を交換することにより弾球遊技機の機種交換を行う際の交換作業を容易に行うことができる。
【００１３】
遊技領域規定枠を前面側に付勢する付勢部を備えたから、遊技領域規定枠を交換する際に、係止部による遊技領域規定枠の係止、または、支持部による遊技領域規定枠の支持を解除すると、付勢部により遊技領域規定枠が前面側に付勢されるため、交換作業を容易に行うことができる。
【発明を実施するための最良の形態】
【００１４】
図１に示すように、弾球遊技機の１実施例であるパチンコ機２は、本体枠（取付枠）３の内部に遊技盤４が配設されており、本体枠３の前面には前面扉５が開閉自在に取り付けられている。前面扉５の下方には、打球供給用の供給皿６及びパチンコ球７の打ち出し強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の周りには、始動入賞口１０、通常入賞口１１、アタッカ１２、アウト口１３、飾り１４が設けられている。また、遊技盤４の略中央には、センター役物１５が設けられており、センター役物１５に形成された開口１５ａを介して、図柄可変表示装置９を視認することができる。遊技者は、供給皿６にパチンコ球７を投入してパチンコ球７を供給皿６内に設けられた誘導路を介して球発射装置へと導き、回動式の操作ハンドル８を所定量回動して球発射装置の駆動を制御することで、遊技盤４の遊技領域４ａの上方に向けてパチンコ球７を打ち出す。打ち出されたパチンコ球７は遊技領域４ａの上方から流下する途中で各入賞口１０, １１及びアタッカ１２のいずれかに入るか、あるいはアウト口１３から回収される。なお、パチンコ機２の遊技領域４ａに設けられている複数の釘、風車などの構造体は公知であるので説明は省略する。また、前面扉５の前面には、後述する係止つまみ２４が前面側から視認することができないように遮蔽するための装飾部５ａが設けられている。
【００１５】
図２に示すように、前面扉５は、本体枠３の前面に開閉自在に取り付けられている。前面扉５の内側には、可視可能なガラスが取り付けられている。なお、前面扉５が閉じているロック状態であるときには、遊技者や遊技場の作業者は、ガラスを通して遊技盤４の遊技領域４ａを流下していくパチンコ球７を見ることはできるが、遊技盤４にはもちろんのこと本体枠３の内部にも触れることができないようになっている。
【００１６】
図３に示すように、遊技盤ユニット１６は、本体枠３の遊技盤係止部３ａに交換可能に係止されている。遊技盤係止部３ａの右側端部の上側端部及び下側端部には、遊技盤ユニット１６を係止するための遊技盤ユニット係止部材１７が設けられている。なお、遊技盤ユニット係止部材１７には、回動可能な回動部１７ａが軸支されている。
【００１７】
図４に示すように、遊技盤ユニット１６は、遊技盤４、支持体（支持部材）１８及びガイドレール枠（遊技領域規定枠）１９を備え、支持体１８とガイドレール枠１９とは、詳しくは後述するように、遊技盤４を挟持した状態で係止されている。
【００１８】
遊技盤４の右側端部の上側端部及び下側端部には、遊技盤ユニット係止部材１７（図３参照）を挿通し、挿通した遊技盤ユニット係止部材１７を係止するための係止部材係止孔４ｂが形成されている。遊技盤４の四隅には、後述するガイドレール枠係止部材２２を挿通するための係止部材挿通孔（第１貫通孔）４ｃが形成されている。遊技盤４の上側端部及び下側端部には、後述する係止ピン２１を係止するための凹状の係止ピン係止凹部４ｄがそれぞれ２個ずつ計４個形成されており、この４個の係止ピン係止凹部４ｄには、それぞれ係止ピン２１を挿通するための長孔状の係止ピン挿通孔４ｅが連通して形成されている。遊技盤４の前面には、コイルバネ（付勢部）２０を収納するための凹状のバネ収納凹部４ｆが２個形成されている。バネ収納凹部４ｆには、ガイドレール枠１９を図４中Ａ方向に付勢するコイルバネ２０が収納されており、コイルバネ２０は、後端がバネ収納凹部４ｆの底面に、先端が後述するガイドレール枠１９の枠本体２５に取り付けられている。なお、バネ収納凹部４ｆは、コイルバネ２０を収縮させたときにコイルバネ２０の先端が遊技盤４の前面から突出しないように収納する大きさで形成されている。これにより、遊技盤４の前面側にガイドレール枠１９を取り付けたときに、遊技盤４とガイドレール枠１９との間に隙間が生じることがない。
【００１９】
支持体１８は略板状に形成されており、支持体１８の前面には複数のリブ１８ａが設けられ、これらリブ１８ａにより球通路１８ｂが形成される。遊技を行った際に各入賞口１０, １１、アタッカ１２及びアウト口１３に入ったパチンコ球７は、リブ１８ａにより形成された球通路１８ｂを通過して所定の受け部に誘導される。支持体１８の上側端部及び下側端部には、遊技盤４の係止ピン挿通孔４ｅに挿通するための係止ピン２１がそれぞれ２個ずつ計４個設けられている。係止ピン２１は、円柱状の本体部２１ａと、本体部２１ａの先端部に回動自在に取り付けられた円柱状の回動部２１ｂとを備える。支持体１８の四隅にはガイドレール枠係止部材（係止部）２２が設けられている。ガイドレール枠係止部材２２は、円柱状の軸部２３と、軸部２３の先端部に回動自在に設けられた係止つまみ２４とを備える。係止つまみ２４を、遊技盤４の係止部材挿通孔４ｃ及びガイドレール枠１９のつまみ係止孔（第２貫通孔）２５ｃを挿通した後に、つまみ係止孔２５ｃに対して水平位置（係止解除位置）から垂直位置（係止位置）へと回動することで、遊技盤４を挟持した状態で支持体１８とガイドレール枠１９との係止を行うことができる。支持体１８の後面には、図柄可変表示装置９の他に、主制御回路装置（制御装置）４０や副制御回路装置（制御装置）４４が組み付けられる（図１２参照）。
【００２０】
図５に示すように、支持体１８に設けられたガイドレール枠係止部材２２を、遊技盤４の係止部材挿通孔４ｃに挿通するとともに、支持体１８に設けられた係止ピン２１を、遊技盤４の係止ピン挿通孔４ｅに挿通し、係止ピン挿通孔４ｅから突出した係止ピン２１の回動部２１ｂを回動して、本体部２１ａと回動部２１ｂとが略Ｔ字状になるようにすると、回動部２１ｂが係止ピン挿通孔４ｅから挿脱不能となる。これにより、支持体１８が遊技盤４の後面に係止される。なお、回動部２１ｂは、係止ピン係止凹部４ｄに収納されるため、遊技盤４の前面から突出することがない。
【００２１】
図６に示すように、ガイドレール枠（遊技領域規定枠）１９は、板状に形成され前面の外周にリブが形成された枠本体２５に、外レール２６、第１内レール２７、第２内レール２８が取り付けられた構成となっている。枠本体２５、外レール２６、第１内レール２７及び第２内レール２８は例えばポリアセタール等の摺動性、耐摩耗性に優れた樹脂材から形成されている。なお、外レール２６と第１内レール２７との間は、打ち出されたパチンコ球７を遊技領域４ａに向けて誘導するためのガイド部２５ａとなる。また、枠本体２５の中央には、遊技におけるパチンコ球７の移動を規制（形成）するための開口２５ｂが形成され、その下方に各入賞口１０, １１及びアタッカ１２のいずれにも入賞しなかったパチンコ球７を所定の受け部に導くためのアウト口２９の前面装飾２９ａが形成されている。なお、外レール２６、第１内レール２７及び第２内レール２８は、それぞれ図示しないビス等により枠本体２５に組み付け固定される。
【００２２】
枠本体２５の四隅には、支持体１８に設けられたガイドレール枠係止部材２２を挿通し、挿通したガイドレール枠係止部材２２の係止つまみ２４を係止するためのつまみ係止孔（第２貫通孔）２５ｃが形成されている。第１内レール２７及び第２内レール２８の内部には、ＬＥＤ（作動装置）３１（図７参照）が所定ピッチで配列されたＬＥＤ基板２９，３０が組み込まれている。なお、第１内レール２７、第２内レール２８の内部の構成は同一の構成となるため、第１内レール２７のみを例に説明し、第２内レール２８の説明は簡略化する。図７に示すように、第１内レール２７の遊技領域４ａ側の内壁面２７ａは、透過性からなるとともに凸型に形成されており、点灯したＬＥＤ３１の光を集光し、遊技領域４ａに向けて照射する。遊技盤４の第１内レール２７の近傍となる位置には、レンズ成形品からなる飾り１４が配設されており、この飾り１４の内部には反射性を有する反射部材３２が設けられている。これにより、ＬＥＤ３１からの照射光は、飾り１４の内部を透過し、反射部材３２で反射して飾り１４のレンズ面Ｒに入射する。なお、反射部材３２は、反射板、プリズム等により構成される。さらに、飾り１４の内壁面１４ａを凹凸を設けた拡散面から構成することで、飾り１４を明るく発光させることができる。なお、ＬＥＤ基板２９，３０に組み付けられるケーブル３３，３４（図６参照）は枠本体２５の下部に形成された開口２５ｄ，２５ｅに挿通された後に、支持体１８に組み付けられた副制御回路装置（制御装置）４４に接続されており、ＬＥＤ３１は、予め設定された遊技状態（例えば、大当たりしたとき等）に応じて副制御回路装置４４により点灯制御される。
【００２３】
第１内レール２７の下側端部には、つまみ係止孔２５ｃから突出した係止つまみ２４を回動（操作）可能に露呈するためのつまみ露呈孔２７ｂが形成されている。第２内レール２８の下側端部には、つまみ係止孔２５ｃから突出した係止つまみ２４を回動（操作）可能に露呈するためのつまみ露呈孔２８ｂが形成されている。
【００２４】
図８に示すように、枠本体２５のつまみ係止孔２５ｃは、支持体１８に設けられた軸部２３及び係止つまみ２４が挿通可能な大きさで、係止つまみ２４と係止可能となるように形成されている。係止つまみ２４は、軸部２３に回動自在に設けられており、遊技盤４及びガイドレール枠１９が取り付けられていない状態では、長手方向が水平に向けられた係止解除位置にセットされている。ガイドレール枠係止部材２２を、遊技盤４の係止部材挿通孔４ｃ及びガイドレール枠１９のつまみ係止孔２５ｃに挿通すると、係止つまみ２４が回転自在となるようにつまみ係止孔２５ｃから突出する。
【００２５】
図９に示すように、係止つまみ２４がつまみ係止孔２５ｃから突出した状態でその長手方向が垂直となるように９０度回転されると、係止つまみ２４は係止位置にセットされる。係止位置への回動によって、係止つまみ２４がつまみ係止孔２５ｃから挿脱不能となり、ガイドレール枠１９と支持体１８とは、遊技盤４を挟持した状態で係止される。
【００２６】
図１０に示すように、遊技盤４の係止部材係止孔４ｂは、遊技盤ユニット係止部材１７が挿通可能な大きさで、遊技盤ユニット係止部材１７の回動部１７ａと係止可能となるように形成されている。回動部１７ａは、遊技盤ユニット係止部材１７に回転自在に軸支されており、遊技盤４が取り付けられていない状態では、回動部１７ａは長手方向が垂直に向けられた係止解除位置にセットされている。遊技盤４が本体枠３の遊技盤係止部３ａに取り付けられると、遊技盤ユニット係止部材１７が係止部材係止孔４ｂに挿通され、回動部１７ａが回転自在となるように係止部材係止孔４ｂから突出する。
【００２７】
図１１に示すように、回動部１７ａが係止部材係止孔４ｂから突出した状態でその長手方向が水平となるように９０度回転されると、遊技盤ユニット係止部材１７は係止位置にセットされる。係止位置への回動によって、回動部１７ａが係止部材係止孔４ｂから挿脱不能となり、遊技盤４を係止する。これにより、ガイドレール枠１９と支持体１８とにより遊技盤４を挟持した状態の遊技盤ユニット１６が本体枠３に係止される。
【００２８】
図１２に示すように、遊技盤４の後面には遊技を行う際に作動が行われる各種装置を制御するためのメインプログラムや図柄可変表示装置９の可変表示制御を行うための演出プログラムが記憶されたプログラムＲＯＭ３６及び、図柄可変表示装置９で表示する画像データ、音声データ、メインプログラム等に基づいて行われる処理状況に応じて各種装置を作動させるためのデータ等が記憶されているデータＲＯＭ３７、メモリコントローラが組み付けられた回路基板３８が設けられている。この回路基板３８にはコネクタ３９が設けられており、支持体１８に組み付けられた主制御回路装置（制御装置）４０に連接させるためのコネクタ４１が嵌め込まれる。これにより、主制御回路装置４０と回路基板３８とがケーブル４２、４３を介して電気的に接続される。なお、本実施形態では回路基板に組み付ける情報記憶媒体としてＲＯＭを挙げたが、これに限定する必要はなく、ＲＡＭ（Ｒａｎｄｏｍ  Ａｃｃｅｓｓ  Ｍｅｍｏｒｙ）を組み付けてもよい。この場合、組み付け作業時にプログラムやデータ等を記憶させるようにしたり、機種替えの際に又は弾球遊技機の起動時にプログラムやデータをインストールするようにする。なお、インストールはパチンコ店等のホールコンピュータと接続させ、ホールコンピュータに記憶されたプログラムやデータを用いて行うようにすると好適である。
【００２９】
上記のように構成されたパチンコ機２の作用について説明する。ガイドレール枠１９を新たなものに交換することによりパチンコ機２の機種交換を行う場合には、支持体１８とガイドレール枠１９との係止を解除する必要がある。支持体１８とガイドレール枠１９との係止を解除するには、先ず、係止つまみ２４を係止位置（図９参照）から係止解除位置（図８参照）に回動する。係止つまみ２４を係止位置から係止解除位置に回動すると、支持体１８とガイドレール枠１９との係止が解除される。次に、ガイドレール枠１９を、遊技盤４の前面側から取り外す。このとき、ガイドレール枠１９は、コイルバネ２０により、図４中Ａ方向に付勢されているから、ガイドレール枠１９を容易に取り外すことができる。また、支持体１８は、係止ピン２１により遊技盤４に係止されているため、支持体１８とガイドレール枠１９との係止を解除した後にも、遊技盤４と支持体１８とは係止された状態が維持される。そして、新たなガイドレール枠１９を、上述したように支持体１８に係止する。
【００３０】
また、ＬＥＤ３１を新たなものに交換することによりパチンコ機２の機種交換を行う場合には、上述したように、遊技盤４と支持体１８とを本体枠３に取り付けた状態のまま、支持体１８とガイドレール枠１９との係止を解除して、ガイドレール枠１９を取り外し、第１内レール２７及び第２内レール２８の内部からＬＥＤ３１が配列されたＬＥＤ基板２９，３０を取り外し、新たなＬＥＤ３１が配列された新たなＬＥＤ基板２９，３０を第１内レール２７及び第２内レール２８の内部に取り付ける。そして、新たなＬＥＤ基板２９，３０を取り付けたガイドレール枠１９を、上述したように支持体１８に係止する。
【００３１】
このように、遊技盤４と支持体１８とを本体枠３に取り付けた状態のまま、ガイドレール枠１９のみ取り外すことができるから、ガイドレール枠１９を新たなものに交換することによりパチンコ機２の機種交換を行う場合や、ＬＥＤ３１を新たなものに交換することによりパチンコ機２の機種交換を行う場合には、遊技盤４と支持体１８とを本体枠３から取り外すことなく、機種交換を行うことができるため、作業者の手間を低減することができるとともに、作業性を向上することができる。
【００３２】
なお、上記実施形態では、遊技盤４を本体枠３に取り付けたが、これに限定されることなく、本体枠３に取り付けられる保持枠を設け、この保持枠に遊技盤４を取り付けるようにしてもよい。
【００３３】
また、上記実施形態では、予め設定された遊技状態に応じて作動する作動装置をＬＥＤ３１から構成したが、これに限定されることなく、予め設定された遊技状態に応じて作動するものであればよく、例えば、回動自在なモータから構成してもよい。
【００３４】
さらに、上記実施形態では、ガイドレール枠１９を前面側に向けて付勢する付勢部をコイルバネ２０から構成したが、これに限定されることなく、ガイドレール枠１９を前面側に向けて付勢することができればよく、例えば、板バネから構成してもよい。
【００３５】
図１３及び図１４に他の実施形態を示す。上記実施形態のものと同様の構成部材には同一の符号を付し、その詳細な説明を簡略化する。この実施形態では、遊技盤４とガイドレール枠１９とは、個別に本体枠３に取り付けられており、ガイドレール枠１９は、遊技盤４の前面側から本体枠３に取り付けられている。本体枠３の遊技盤係止部３ａの四隅には、ガイドレール枠係止部材（支持部）５０が設けられている。ガイドレール枠係止部材５０は、円柱状の軸部５１と、軸部５１の先端部に回動自在に設けられた係止つまみ５２とを備える。係止つまみ５２を、ガイドレール枠１９のつまみ係止孔２５ｃを挿通した後に、つまみ係止孔２５ｃに対して水平位置（係止解除位置）から垂直位置（係止位置）へと回動することで、ガイドレール枠１９を本体枠３に係止することができる。支持体１８の四隅には、ガイドレール枠係止部材５０を挿通するための係止部材挿通孔１８ｃが形成されている。
【００３６】
支持体１８が取り付けられた遊技盤４を本体枠３に取り付け、ガイドレール枠係止部材５０を係止部材挿通孔１８ｃ、係止部材挿通孔４ｃの順に挿通すると、係止つまみ５２が回転自在となるようにつまみ係止孔２５ｃから突出する。そして、係止つまみ５２がつまみ係止孔２５ｃから突出した状態でその長手方向が垂直となるように９０度回転されると、係止つまみ５２は係止位置にセットされる。係止位置への回動によって、係止つまみ５２がつまみ係止孔２５ｃから挿脱不能となり、ガイドレール枠１９が本体枠３に係止される。ガイドレール枠１９を新たなものに交換する場合には、係止つまみ５２を、その長手方向が水平に向けられた係止解除位置に回動する。係止つまみ５２を係止解除位置に回動すると、本体枠３とガイドレール枠１９との係止が解除される。次に、ガイドレール枠１９を、遊技盤４の前面側から取り外す。そして、新たなガイドレール枠１９を、上述したように本体枠３に係止する。
【００３７】
なお、上記実施形態では、遊技盤４とガイドレール枠１９とを本体枠３に取り付けたが、これに限定されることなく、本体枠３に取り付けられる保持枠（取付枠）を設け、この保持枠に遊技盤４とガイドレール枠１９とを取り付けるようにしてもよく、さらには、ガイドレール枠１９を前面扉５に取り付けるようにしてもよい。
【００３８】
また、上記実施形態では、遊技盤４を本体枠３に取り付けた状態で、ガイドレール枠１９を遊技盤４の前面側から本体枠３に取り外し可能に支持する支持部を、ガイドレール枠係止部材５０から構成したが、これに限定されることなく、遊技盤４を本体枠３に取り付けた状態で、ガイドレール枠１９を遊技盤４の前面側から本体枠３に取り外し可能に支持することができればよく、例えば、ガイドレール枠１９の枠本体２５の側面に凹状の凹部を設け、この凹部に挿入する挿入位置と、挿入を解除する解除位置との間で変位する変位部材から構成してもよく、この場合には、ガイドレール枠１９を本体枠３に取り付けるときには、変位部材を解除位置から挿入位置に変位させて凹部に挿入し、ガイドレール枠１９を取り外すときには、変位部材を挿入位置から解除位置に変位させる。
【図面の簡単な説明】
【００３９】
【図１】本発明を実施したパチンコ機の外観を示す斜視図である。
【図２】前面扉を開けた状態のパチンコ機を示す斜視図である。
【図３】本体枠と遊技盤ユニットとを示す分解斜視図である。
【図４】遊技盤と支持体とガイドレール枠とを示す分解斜視図である。
【図５】遊技盤に支持体を取り付けた状態を示す斜視図である。
【図６】枠本体と外レールと第１内レールと第２内レールとを示す分解斜視図である。
【図７】第１内リールの内部及び遊技盤上の飾りの構成を示す断面図である。
【図８】係止つまみが係止解除位置にセットされた状態を示す正面図である。
【図９】係止つまみが係止位置にセットされた状態を示す正面図である。
【図１０】遊技盤ユニット係止部材が係止解除位置にセットされた状態を示す正面図である。
【図１１】遊技盤ユニット係止部材が係止位置にセットされた状態を示す正面図である。
【図１２】遊技盤と支持体との構成を分解した状態の概略を示す断面図である。
【図１３】ガイドレール枠を本体枠に取り付ける実施形態の本体枠と遊技盤とガイドレール枠とを示す分解斜視図である。
【図１４】遊技盤と支持体とガイドレール枠とを示す分解斜視図である。
【符号の説明】
【００４０】
２  パチンコ機（弾球遊技機）
３  本体枠（取付枠）
４  遊技盤
４ａ  遊技領域
４ｂ  係止部材係止孔
４ｃ  係止部材挿通孔（第１貫通孔）
４ｄ  係止ピン係止凹部
４ｅ  係止ピン挿通孔
４ｆ  バネ収納凹部
７  パチンコ球
１６  遊技盤ユニット
１７  遊技盤ユニット係止部材
１８  支持体（支持部材）
１９  ガイドレール枠（遊技領域規定枠）
２０  コイルバネ（付勢部）
２１  係止ピン
２２  ガイドレール枠係止部材（係止部）
２３  回動軸
２４  係止つまみ
２５  枠本体
２５ｃ  つまみ係止孔（第２貫通孔）
２６  外レール
２７  第１内レール
２８  第２内レール
２９，３０  ＬＥＤ基板
３１  ＬＥＤ（作動装置）
４０  主制御回路装置（制御装置）
４４  副制御回路装置（制御装置）
５０  ガイドレール枠係止部材（支持部）
５１  回動軸
５２  係止つまみ
【図１】
2005349032.tif 000003
【図２】
2005349032.tif 000004
【図３】
2005349032.tif 000005
【図４】
2005349032.tif 000006
【図５】
2005349032.tif 000007
【図６】
2005349032.tif 000008
【図７】
2005349032.tif 000009
【図８】
2005349032.tif 000010
【図９】
2005349032.tif 000011
【図１０】
2005349032.tif 000012
【図１１】
2005349032.tif 000013
【図１２】
2005349032.tif 000014
【図１３】
2005349032.tif 000015
【図１４】
2005349032.tif 000016